(57)【要約】【課題】医療器具の確実な収容が可能であって、かつ、保管や廃棄のスペースを小さくできる医療用トレイを提供すること。【解決手段】上側の開口部２６から医療器具を収容できる収容部２３、及び、収容部２３の側面から連続して形成され、開口部２６を覆う蓋部２４を有する収容体２０と、自立可能であり、内側に収容体２０を配置して、収容体２０を取付け可能である自立体３０と、を備え、自立体３０に収容体３０を取付けた状態では、蓋部２４を立てた状態を自立体３０が保持することで、蓋部２４が開口部２６の上方の空間Ｓ１を囲むようになっていることを特徴とする。【選択図】図１０
2015173906.tif 000002
【特許請求の範囲】
【請求項１】
上側の開口部から医療器具を収容できる収容部、及び、前記収容部の側面から連続して形成され、前記開口部を覆う蓋部を有する収容体と、
自立可能であり、内側に前記収容体を配置して、前記収容体を取付け可能である自立体と、
を備え、
前記自立体に前記収容体を取付けた状態では、前記開口部を解放して前記蓋部を立てた状態を前記自立体が保持することで、前記蓋部が前記開口部上方の空間を囲むようになっている
ことを特徴とする医療用トレイ。
【請求項２】
前記収容体は、滅菌処理されて可撓性を有しており、かつ、前記自立体に取付ける際、前記自立体の上端部よりも上側に余った余剰部を有することを特徴とする請求項１に記載の医療用トレイ。
【請求項３】
前記自立体は骨格のみからなる骨状であり、高さ調整ができることを特徴とする請求項１又は２に記載の医療用トレイ。
【請求項４】
前記収容部にはフィルターが形成されており、このフィルターの外側には分離又は剥離可能な除去部が設けられていることを特徴とする請求項１乃至３のいずれかに記載の医療用トレイ。
【請求項５】
予め滅菌処理がなされ、前記自立体に前記収容体を取付けた際に、前記収容体の内側と前記自立体の外側を覆うことができるシートを有することを特徴とする請求項１乃至４のいずれかに記載の医療用トレイ。
【請求項６】
上側の開口部から医療器具を収容できる収容部、及び、前記収容部の側面から連続して形成され、前記開口部を覆う蓋部を有するようにした医療用トレイの収容体であって、
前記収容体とは別に用意された自立可能な自立体の内側に配置されて、前記自立体に取付け可能であり、
前記自立体に取付けられた状態では、前記開口部を解放して前記蓋部を立てた状態を前記自立体に保持されることで、前記蓋部が前記開口部上方の空間を囲むようになっている
ことを特徴とする医療用トレイの収容体。
【発明の詳細な説明】
【技術分野】
【０００１】
本発明は、医療用トレイ、及びこれに用いられる収容体に関する。
【背景技術】
【０００２】
近年は様々な医療行為が行なわれており、例えば、カテーテルと呼ばれるチューブを血管に挿入し、造影剤を注入してレントゲンを撮影したり、そのカテーテルを利用して薬剤を患部に注入したり、或いは、ワイヤの先のバルーンで血管の狭窄部分を拡張する等の行為が行われている。
このような医療行為に用いられる医療器具については、施術前に生理食塩水等のプライミング液に浸漬させるために、医療用トレイが使用される。また、この医療トレイは、滅菌処理がされているため、手術中に種々の器具を置く際にも使用される。
【０００３】
特許文献１はこのような医療用トレイの例であり、その図１に示されるように、上側が開口した矩形状のトレイとされ、トレイを小型化するため、収容されるカテーテルやガイドワイヤ等のワイヤ状部材３００が巻回されている。
ここで、巻回されたワイヤ状部材３００は、その弾性力によりトレイから勢いよく跳ね出ようとする。そのため、特許文献１のトレイは、かかる跳ね出しを防止するため、壁面に複数の着脱可能なクリップ２０２が取り付けられており、クリップ２０２の先端部でワイヤ状部材３００を押さえている。
【先行技術文献】
【特許文献】
【０００４】
【特許文献１】特開２００４−３２１６４２公報
【発明の概要】
【発明が解決しようとする課題】
【０００５】
ところで、特許文献１のような着脱可能なクリップ２０２でワイヤ状部材３００を押さえているトレイでは、トレイに衝撃を与えると、ワイヤ状部材３００の弾性力も手伝ってクリップ２０２が外れてしまい、ワイヤ状部材３００が跳ね出る恐れがある。
この点、このような恐れを可及的に回避しつつ、ワイヤ状部材３００を確実にトレイに収容しておくためには、トレイにはある程度の深さが必要である。
しかし、それではトレイの大型化を招き、保管スペースをとってしまう。また、廃棄する際、ごみ箱が直ぐに一杯になってしまう。特に、プライミング液のような液体を入れるトレイは相当の剛性が必要であり、トレイを潰さずに専用のごみ箱に廃棄することから、ごみ箱が直ぐに一杯になってしまうという問題がある。また、医療用廃棄物は単位体積当たりの廃棄コストが高額なため、これは医療経済性の観点からも深刻な問題となる。
【０００６】
本発明は以上の問題を解決するためのもので、医療器具の確実な収容が可能であって、かつ、保管や廃棄のスペースを小さくできる医療用トレイを提供することを目的とする。
【課題を解決するための手段】
【０００７】
上記課題は、上側の開口部から医療器具を収容できる収容部、及び、前記収容部の側面から連続して形成され、前記開口部を覆う蓋部を有する収容体と、自立可能であり、内側に前記収容体を配置して、前記収容体を取付け可能である自立体と、を備え、前記自立体に前記収容体を取付けた状態では、前記開口部を解放して前記蓋部を立てた状態を前記自立体が保持することで、前記蓋部が前記開口部上方の空間を囲むようになっている医療用トレイにより解決される。
【０００８】
上記構成によれば、上側の開口部から医療器具を収容できる収容部、及び、収容部の側面から連続して形成され、開口部を覆う蓋部を有する収容体を有しており、この収容体の中に医療器具を入れて保存することができる。
ここで、内側に収容体を配置して取付け可能である自立体を有し、この自立体に収容体を取付けた状態では、開口部を解放して蓋部を立てた状態を自立体が保持することで、蓋部が開口部上方の空間を囲むようになっている。
そうすると、使用時に蓋部を立てて、その状態を自立体で保持させれば、開口部上方の空間を囲む蓋部がカテーテル等の跳ね出しを防止するため、カテーテル等の医療器具の確実な収容が可能となる。
そして、収容体の収容部の方の高さについては、カテーテル等の跳ね出し問題を特に考慮せずに、プライミングをするのに問題のない高さとすればよい。従って、保存時や廃棄時には、自立体と収容体とを分離させ、蓋部を元に戻して寝かせれば、使用時に比べて容積を小さくできる。しかも、廃棄時には、開口部を塞ぐように蓋をした状態となるため、中の廃棄物に触らずに安全に廃棄できる。
【０００９】
また、好ましくは、前記収容体は、滅菌処理されて可撓性を有しており、かつ、前記自立体に取付ける際、前記自立体の上端部よりも上側に余った余剰部を有することを特徴とする。
そうすると、収容体は可撓性を有するため、廃棄する際に変形されて、ゴミの容積を減らすことができる。なお、このように可撓性を有していても、自立体により収容体の起立状態を保持できる。
さらに、収容体を自立体に取付ける際、自立体の上端部よりも上側に余った余剰部を有するため、この余剰部を折り返して、自立体の上端部に係止させ、容易に収容体を自立体に固定させることができる。
しかも、このような折り返された収容体は滅菌処理がされているため、自立体を再利用したとしても、自立体の少なくとも上端部を覆い隠して、清潔領域を確保できる。なお、本発明は滅菌処理された自立体の使用を排除するものではないが、予め滅菌処理された収容体で自立体の少なくとも上端部を隠すことで、確実な衛生性を図れる。
【００１０】
また、好ましくは、前記自立体は骨格のみからなる骨状であり、高さ調整ができることを特徴とする。
従って、自立体は骨状であるため露出面が少なくなり、衛生性を高めることができる。しかも、このような自立体は高さ調整ができるため、未使用時にはコンパクトにして保管できる。
【００１１】
また、好ましくは、前記収容部にはフィルターが形成されており、このフィルターの外側には分離又は剥離可能な除去部が設けられていることを特徴とする。
従って、プライミングした後、除去部を分離又は剥離して、フィルターで廃棄物が排出されないようにして、廃棄物に触れることなしに廃液を捨てることができる。
【００１２】
また、好ましくは、予め滅菌処理がなされ、前記自立体に前記収容体を取付けた際に、前記収容体の内側と前記自立体の外側を覆うことができるシートを有していることを特徴とする。
従って、使用時には、このシートで自立体の外側等を覆って、より大きな清潔域を確保できる。なお、この清潔域を広げるシートは、使用前の収容部の中に入れておくのが好ましい。
【００１３】
また、上記課題は、上側の開口部から医療器具を収容できる収容部、及び、前記収容部の側面から連続して形成され、前記開口部を覆う蓋部を有するようにした医療用トレイの収容体であって、前記収容体とは別に用意された自立可能な自立体の内側に配置されて、前記自立体に取付け可能であり、前記自立体に取付けられた状態では、前記開口部を解放して前記蓋部を立てた状態を前記自立体に保持されることで、前記蓋部が前記開口部上方の空間を囲むようになっている医療用トレイの収容体により解決される。
【発明の効果】
【００１４】
以上、本発明によれば、医療器具の確実な収容が可能であって、かつ、保管や廃棄のスペースを小さくできる医療用トレイを提供することができる。
【図面の簡単な説明】
【００１５】
【図１】本発明の第１の実施形態に係る医療用トレイの収容体であって、図１（Ａ）は蓋部を閉じた状態の斜視図、図１（Ｂ）は蓋部を開けた状態の斜視図。
【図２】本発明の第１の実施形態に係る医療用トレイの自立体であって、図２（Ａ）は立てた状態の斜視図、図２（Ｂ）は折り畳んだ状態の斜視図。
【図３】図１の収容体と図２の自立体を組み合わせた斜視図。
【図４】図１（Ａ）のＡ−Ａ断面図。
【図５】図１の除去部を切り離した状態の部分拡大斜視図。
【図６】除去部のその他の実施例であり、図６（Ａ）はその拡大図、図６（Ｂ）は除去部を丸めて図６（Ａ）のＢ−Ｂ線の位置で切断した場合の断面図。
【図７】自立体の変形例を示す斜視図。
【図８】使用前の収容体の斜視図。
【図９】使用前の自立体の斜視図。
【図１０】図１０（Ａ）は収容体を自立体に取り付けようとしている図、図１０（Ｂ）は収容体を自立体に取り付けて、プライミングをしている図。
【図１１】本発明の第２の実施形態に係る医療用トレイであって、蓋部を開けた収容体の斜視図。
【図１２】本発明の第２の実施形態に係る医療用トレイの使用状態を示す図。
【発明を実施するための形態】
【００１６】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１〜図３は第１の実施形態に係る医療用トレイ１０であって、図１（Ａ）はその収容体２０の蓋部２４を閉じた状態、図１（Ｂ）は収容体２０の蓋部２４を開けた状態、図２（Ａ）はその自立体３０を立てた状態、図２（Ｂ）は自立体３０を折り畳んだ状態、図３は収容体２０と自立体３０とを組み合わせた状態を示している。なお、図１（Ａ）の一点鎖線で囲った図は除去部５０の拡大図、図１（Ｂ）の二点鎖線で囲った図は収容体２０の側面を（対面せずに）横から視認した図である。
【００１７】
これらの図の医療用トレイ１０は、例えばアンギオグラフィー用キットの中の医療器具として販売される。アンギオグラフィーとは、血管にカテーテルと呼ばれるチューブを挿入し、そのカテーテルを介して造影剤を注入してレントゲンを撮影する検査方法である。また、このカテーテルを血管に挿入することを利用して、薬剤の投入、狭窄した血管の拡  張などの種々の治療・手術を行っており、ここでは、これらの総称としてアンギオグラフィーと呼ぶ。そして、これらの検査・治療・手術（以下、「施術」という）には様々な医療器具が用いられ、その事前準備を容易にしたり院内感染を防止したりするため、複数の医療器具がセットとして販売されている。このセットがアンギオグラフィー用キットであり、そのセットの中に、例えば、カテーテル・ガイドワイヤ・メス・注射器・鉗子・ドレープ等、そして、本実施形態の医療用トレイ１０がある。
医療用トレイ１０は、図１の収容体２０と図２の自立体３０を図３に示すように組み合わせて使用される（後述するように、自立体３０は再利用が可能であるため、アンギオグラフィー用キットの中に必ず含まれるものではない）。
【００１８】
〔収容体について〕
先ず、収容体２０について、主に図１を用いて説明する。
収容体２０は使い捨ての部品であり、予め滅菌処理された収容部２３及び蓋部２４を有している。
収容部２３は図１（Ｂ）の上側の開口部２６からカテーテル・ガイドワイヤ・メス等の医療器具を収容するための内側空間Ｓを有している。図の収容部２３は略矩形状であり、四角形状の底面２３ａと、この底面２３ａの周縁から起立する四方側面２３ｂ，２３ｃ，２３ｄ，２３ｅとからなっている。
【００１９】
この収容部２３は施術直前のプライミングに使用される。プライミングは、生理食塩水やヘパリン加生理食塩水等のプライミング液にカテーテル・ガイドワイヤ等を浸漬させて、空気を抜くために行われる処理である。従って、収容部２３の内側空間Ｓは、図１（Ｂ）に示すように、カテーテル・ガイドワイヤＭが収容され、かつ、プライミング液を充填できる高さＨ１を有する容積とされている（図の収容部２３の高さＨ１は約５ｃｍである）。なお、カテーテル・ガイドワイヤＭは、細長いチューブ又はワイヤ状であって、収容部２３を小さくするために収容部２３の中で巻回して入れられ、弾性力を発揮している（以下、このカテーテル・ガイドワイヤＭを「弾性部材Ｍ」という）。
また、収容部２３は滅菌処理がされているため、施術中に鉗子等の種々の器具を置く容器としても使用される。
【００２０】
このような収容部２０は、プライミングを行うため防水性が必要であり、例えばポリエチレン（ＰＥ）、ポリプロピレン（ＰＰ）、ポリエチレンテレフタレート（ＰＥＴ）等の樹脂から形成されている。
さらに、本実施形態の場合、収容部２０は防水性に加えて、可撓性を有する。これにより、廃棄する際、収容部２０を変形させて廃棄スペースを小さくすることができる。また、後述するように蓋部２４も可撓性を有するため、収容部２０と蓋部２４とを一体成型できる。また、巻回した弾性部材Ｍを収容した際、その弾性力により、図１（Ｂ）の二点鎖線で囲った図のように、収容部２０の四方側面２３ｂ，２３ｃ，２３ｄ，２３ｅが外側ＵＴに若干窪むようになり、この窪み部２９により弾性部材Ｍを軽く係止することができる。収容部２０の可撓性は大き過ぎると、却って弾性部材Ｍや施術中の医療器具を取り出し難くなる恐れがあるため、収容部２０には相当の剛性が必要であり、本実施形態の場合、ポリエチレン（ＰＥ）、ポリプロピレン（ＰＰ）、ポリエチレンテレフタレート（ＰＥＴ）等の樹脂材料を当該相当の剛性を有するように薄いフィルム状にして形成されている。
なお、当該相当の剛性は、収容する弾性部材Ｍの種類により調整をして決めればよい。
また、本発明の収容部２０は、必ず可撓性を必要とするものではなく、例えば厚みが大きくなるように樹脂材料を成型して、可撓性がなく剛性の高いものにしても構わない。
【００２１】
本実施形態の収容部２３は、さらに、図１のＡ−Ａ断面図である図４、及び、図１の除去部５０を切り離した状態の部分拡大斜視図である図５に示すように、収容部２３の後述するフィルター５５の領域から分離可能な除去部５０が形成されている。除去部５０を除去した領域は、プライミング液を排出するための排出口となり、図１の一点鎖線で囲った図、及び図５に示すように、好ましくは収容部２３の下部であって角部に形成されている。本実施形態では、図１及び図４に示すように、予め側面２３ｂ，２３ｃに厚みを薄くした切り取り線５３が形成されて、除去部５０を引きちぎることが可能とされているが、鋏等で切り取られるようにしてもよい。
そして、除去部５０の内側には、図４及び図５に示すように、側面２３ｂ，２３ｃから所定の間隔Ｗ１をおいて、内側にフィルター５５が設けられている。このフィルター５５は、プライミング液を排出する際に、中の注射針等が排出されないようにするためのものであり、多数の小孔４８が空いている。
【００２２】
このような除去部については、その他の実施例である除去部５０−１に係る図６に示すように、収容部２３から剥離して収容体２０に付着した状態のままにし、ゴミにならないようにするのが好ましい。
具体的には、除去部５０−１の内側は、収容部２３に複数の小孔６９が形成されてフィルター部７２とされている。また、小孔６９の周囲の外面はホットメルト等の接着剤が塗布された接着部５４とされて、これにより、フィルター部７２に対して除去部５０−１は着脱可能となっている。
本変形例では、除去部５０−１にも着脱可能な接着剤が塗布されており、この接着剤は、プライミング液への汚染を考慮して、小孔６９にはかからないように周縁７７にのみ塗布されている。また、除去部５０−１は、フィルター部７２から離間した離間部８０ａと、フィルター部７２を覆うカバー部８０ｂとを有し、離間部８０ａとカバー部８０ｂとの境界に切り込み８０ｃが形成されている。
以上のようにして、廃液を排出する際は、図６（Ｂ）に示すように、除去部５０−１をフィルター部７２から剥離してフィルター部７２を露出させると共に、除去部５０−１を丸め乃至折り曲げて、接着剤が塗布された周縁７７を収容部２３に貼付することができる。従って、除去部５０−１は廃液の際に邪魔にならないし、また、収容体２０と別のゴミになることもない。
なお、除去部５０−１は、収容部２３から完全に剥離した場合であっても、収容体２０の任意の個所に再接着すればよい。
【００２３】
蓋部２４は、図１に示すように、収容部２３の側面２３ｂ〜２３ｅから連続して形成され、開口部２６を覆うことができる。なお、開口部２６を覆うだけであれば蓋部２４は、例えば互いに対向する２つの蓋部の部分２４ａ，２４ｃのみでも構わないが、本実施形態の蓋部２４は、四方側面２３ｂ〜２３ｅの全てから延伸した四方の蓋部の部分２４ａ〜２４ｄにより構成されている。これにより、開口部２６を解放して蓋部２４を立てた状態では、四方の蓋部の部分２４ａ〜２４ｄが開口部２６の上方の空間Ｓ１（図３参照）を囲むようになっている。従って、蓋部２４が立った図３の状態では、カテーテル等の弾性部材が、その弾性力により跳ね出ようとしても、四方を囲った蓋部２４がそれを防止できる（以下、この蓋部２４が囲む空間Ｓ１を「跳ね出し防止空間Ｓ１」という）。
このように、蓋部２４は、収容部２３の内側空間Ｓを封止することを主目的とするものではなく、弾性部材Ｍの跳ね出しを防止することを主目的とする。
【００２４】
このような蓋部２４は、図２（Ａ）の自立体３０の内側空間Ｓ２に挿入した際、自立体３０の上端部３３よりも上側に余った余剰部である図１（Ｂ）の先端部２５を有している。この先端部（余剰部）２５は、図３に示すように、自立体３０に対して固定させるため、折り返されて、先端部２５と自立体３０の上端部３３とが係止するようになっている。図１の蓋部２４はこのように可撓性を有しており、このため、上述したように、ポリエチレン（ＰＥ）、ポリプロピレン（ＰＰ）、ポリエチレンテレフタレート（ＰＥＴ）等の樹脂を薄いフィルム状にして形成されている。
【００２５】
本実施形態の蓋部２４は、以上の弾性部材Ｍの跳ね出しの防止、及び自立体への係止という２つの機能を満たすように、図１の高さＨ２を所要の寸法とすればよい。すなわち、図３に示すように、蓋部２４の自立体３０への係止度合を考慮して上端部（余剰部）２５の高さ（長さ）Ｈ３を決め、また、蓋部２４で四方を囲った跳ね出し防止空間Ｓ１を形成できる高さＨ４を決めて（図の高さＨ４は、収容部２３の高さＨ１の約２〜３倍である約１０〜１５ｃｍ）、Ｈ３＋Ｈ４以上となるように図１の高さＨ２を決めればよい。
なお、図１の四方の蓋部の部分２４ａ〜２４ｄは、その全てが同じ高さＨ２とされているが、本発明はこれに限られるものではなく、例えば、短辺側の互いに対向する蓋部の部分２４ｂ，２４ｄの高さを、長辺側の蓋部の部分２４ａ，２４ｃに比べて大きくして、より係止し易くしてもよい。
【００２６】
〔自立体について〕
次に、自立体３０について、主に図２を用いて説明する。
自立体３０は、自立が可能であり、その内側に図１（Ｂ）の収容体２０を配置して、収容体２０が取付け可能とされている。
具体的には、自立体３０は、図２（Ａ）の上側の開口部４４から上述した収容体を挿脱可能とされ、内側空間Ｓ２に収容体２０を配置可能とされている。なお、図２（Ａ）の自立体３０は、開口部４４及び内側空間Ｓ２の水平方向の断面形状が、図１（Ａ）の収容部２３の水平方向の断面形状と略相似であり、その断面積が僅かに大きい。
【００２７】
この自立体３０は、図２（Ａ）及び図２（Ｂ）に示すように、主面のない骨格のみからなる骨状のものを組み合わせて形成された骨組であり、これにより、再利用した場合、自立体３０の滅菌処理がされず、或いは滅菌処理が不十分であったとしても、自立体３０に触れる機会を少なくして、清潔領域を増やすことができる。
さらに、自立体３０は形態を変えて高さ調整することができる。具体的には、図２（Ａ）に示すように、自立体３０は、略四角形の枠状の下側枠部３４と、この下側枠部３４の四隅にピン３９を介して連結された支柱３２と、この４本の支柱３２の上側の端部にピン３９を介して連結された枠状の上側枠部（自立体３０の上端部）３３とを有している。そして、各支柱３２は２本に分割され、分割された上下の支柱３２ａ，３２ｂはピン３９を介して連結されている。これにより、図２（Ａ）の状態から、各支柱３２を折り畳むようにして図２（Ｂ）のように小さな高さＨ６とした状態にすることができる。また、図２（Ｂ）の状態から、上側枠部３３を矢印ＬＦ方向に持ち上げて、図２（Ａ）のように相対的に大きな高さＨ５とした状態にすることができる。この高さＨ５が、図３のプライミング可能な収容部２３の高さＨ１に、跳ね出し防止空間Ｓ１の高さＨ４を加算した高さである。
【００２８】
なお、図２に示すように、自立体３０の下側枠部３４の角部には切り欠き部５７が形成されている。切欠き部５７は、図３のように自立体３０に収容体２０を取り付けた状態で、上述した収容部２３の除去部５０を外部に露出させるためのものである。
【００２９】
また、本実施形態では、収容体２０は全体が可撓性を有するため、自立体３０は収容体２０全体が立った状態を保持できるだけの剛性を備えているが、本発明は、このような形態に限られるものではなく、収容体２０の収容部２３の剛性が高い場合は、蓋部２４が立った状態のみを保持できる剛性とすればよい。
また、自立体３０は、例えば、その第１変形例である図７（Ａ）に示すように、四本の支柱３２を折り畳む方式ではなく、上下に分割された支柱３２を上下方向にスライドさせて伸縮自在にし、適当な位置でクランプ４５によりスライドを止めて、支柱３２の長さを調整できる自立体３０−１としても構わない。
或いは、第２変形例である図７（Ｂ）に示すように、そもそも骨状ではなく、主面のある箱状の自立体３０−２であっても構わない。この場合、側面をヒンジ４７で折り畳むようにして、高さ調整できるようにするとよい。
【００３０】
〔医療用トレイの使用方法〕
次に、上述した医療用トレイ１０の使用方法の概要を、図８〜図１０を用いて説明する。
図８は使用前の収容体２０の斜視図、図９は使用前の自立体３０の斜視図、図１０（Ａ）は収容体２０を自立体３０に取り付けようとしている図、図１０（Ｂ）は収容体２０を自立体３０に取り付けて、プライミングをしている図である。
【００３１】
図８に示すように、使用前における医療トレイ１０の収容体２０は、予め滅菌処理がしており、さらに滅菌処理をした袋１４の中に入れて保管するのが好ましい。なお、保管時の収容体２０の中には、メス・注射器・鉗子・ドレープ等の種々の医療器具（不図示）が収容されている。
一方、図９に示すように、保管時における自立体３０は折り畳んで、低い高さＨ６とする。これにより、保管スペースを小さくすることができる。なお、図９の自立体３０は再利用するものであり、好ましくは施術前に消毒をしておくのがよい。
【００３２】
そして、施術直前に、自立体３０をテーブルの上に載置して、その上側枠部３３を図９の矢印ＬＦ方向に持ち上げて、折り畳んだ支柱３２を図１０（Ａ）に示すように伸ばして（起立させ）、大きな高さＨ５とする。
一方、収容体２０については、図８の袋１４から取り出して蓋部２４を開け、中からメス等のプライミングに必要のない医療器具を取り出す。そして、図１０（Ａ）に示すように、高さを大きくした自立体３０の内側空間Ｓ２内に、蓋部２４が上となるように挿入する。
【００３３】
次に、図１０（Ｂ）に示すように、挿入した収容体２０の蓋部２４の先端部２５を外側に折り返して、図１０（Ａ）の自立体３０の上側枠部３３に係止させる。この際、図１０（Ｂ）に示すように、先端部２５で上側枠部３３が隠れるのが好ましい。
そして、プライミングをするカテーテルやガイドワイヤ等の弾性部材Ｍを収容部２３の中に入れる。ここで、収容体２０は、収容部２３だけではなく、蓋部２４が四方を囲っているので（跳ね出し防止空間Ｓ１を囲っているので）、弾性部材Ｍが跳ね出ようとしても、それを防止できる。また、本実施形態の収容部２３は可撓性を有しているため、弾性部材Ｍの弾性力で外側に撓んで、弾性部材Ｍの跳ね出しをより有効に防止できる。
【００３４】
次いで、プライミング液ＲＱを入れて、その中に弾性部材Ｍを浸漬し、プライミングする。施術が終わった後、除去部５０を分離又は剥離してフィルター５５（図５参照）を露出させ、そして、医療トレイ１０を傾けてプライミング液ＲＱを排出する。プライミング液ＲＱには血液が混ざっている可能性があるので、慎重に捨てる必要がある。このように、本実施形態では、プライミングした後、廃棄物に触れずに、廃液を捨てることができる。
次いで、自立体３０と収容体２０とを分離させて、自立体３０については、図９に示すように支柱３２をピン３９の周りを回動するように折り畳んで、高さを低くして保管をし、次の施術に控える。
これに対して、収容体２０は廃棄する。この際、図１（Ａ）に示すように蓋部２４を元に戻して寝かせれば、図１０の使用時に比べて容積を小さくて廃棄できる。さらに、本実施形態は収容部２３も可撓性を有するため、収容部２３自身の容積も小さくすることができる。しかも、収容部の開口部を塞ぐように蓋をするため、中の廃棄物に触らずに安全に廃棄できる。
本第１の実施形態は以上のように構成され、このため、使用時において医療器具の確実な収容が可能であって、かつ、保管や廃棄のスペースを小さくすることができる。
【００３５】
〔第２の実施形態〕
図１１及び図１２は本発明の第２の実施形態に係る医療用トレイ１１あって、 図１１は蓋部２４を開けた収容体２０の斜視図、図１２はその使用状態を示す図である。
これらの図において、図１ないし図１０の医療用トレイ１０と同一の符号を付した箇所は同様の構成であるから、重複する説明は省略し、以下、相違点を中心に説明する。
本第２の実施形態の医療用トレイ１１が第１の実施形態の医療用トレイ１０と異なるのは、シート７０を有することである。
即ち、使用前の収容部２３の中には、図１１のように、メス・注射器・鉗子・ドレープ等の医療器具ＭＳが収容されており、この医療器具Ｍを包むようにして、予め滅菌処理がされたシート７０が収容されている。このように、医療用トレイ１１を使用する前におけるシート７０は医療器具Ｍを包む包装体である。
【００３６】
このシート７０は、医療用トレイ１１を使用の際は、広げて、包まれていた医療器具Ｍを取り出し、そして、図１２に示すように、自立体３０に収容体２０を取付けた後、収容体２０の内側と自立体３０の外側の夫々の面に密着するようにして、医療用トレイ１１の底面を除く略全てを覆って使用される。この際、シート７０は、例えば図３に示す蓋部２４どうしの間に隙間がある場合、そこから跳ね出し防止空間Ｓ１に露出した自立体３０も覆うように用いるのが好ましい。
なお、本実施形態のシート７０は、防水・撥水性を発揮する既知の防水又は撥水シートであり、これにより、プライミングの際、プライミング液がシート７０に吸収される事態を防止できる。また、シート７０は、上述した除去部５０に対応した位置に排出口（不図示）を有するのが好ましい。  
【００３７】
本第２の実施形態は以上のように構成され、医療用トレイ１１を使用する際、収容体２０の内側と自立体３０の外側を滅菌されたシート７０で覆うことができる。従って、仮に再利用した自立体３０が滅菌処理をされず、或いはその処理が不十分であったとしても、シート７０で自立体３０の外側等を覆って、より大きな清潔域を確保することができる。
【００３８】
なお、本発明は、上記実施形態に限定されず、特許請求の範囲を逸脱しない範囲で種々の変更を行うことができる。
例えば、本発明では、図１の収容体２０は必ずしも可撓性を備えていなくてもよく、全体的な剛性が高くても、収容部２３と蓋部２４との境界部５８、及び、図３の先端部２５の根本５７さえ可撓性を有すれば、蓋部２４の開け閉めや、自立体３０に対する係止を問題なく行える。
また、蓋部２４を折り曲げる個所（図１の蓋部２４と収容部２３との境界部５８、図３の先端部２５の根本５７）に脆弱部を形成して、蓋部２４を折れ曲げ易くしてもよい。
また、本発明の収容体２０や自立体３０の全体形状は、矩形状に限られるものではなく、円筒状等の他の形態であっても構わない。
【符号の説明】
【００３９】
１０，１１・・・医療用トレイ、２０・・・収容体、２３・・・収容部、２４・・・蓋部、２６・・・開口部、３０・・・自立体、５０・・・除去部、５５・・・フィルター、７０・・・シート
【図１】
2015173906.tif 000003
【図２】
2015173906.tif 000004
【図３】
2015173906.tif 000005
【図４】
2015173906.tif 000006
【図５】
2015173906.tif 000007
【図６】
2015173906.tif 000008
【図７】
2015173906.tif 000009
【図８】
2015173906.tif 000010
【図９】
2015173906.tif 000011
【図１０】
2015173906.tif 000012
【図１１】
2015173906.tif 000013
【図１２】
2015173906.tif 000014